(57)【特許請求の範囲】
【請求項１】
側面外周に固定カムが設けられた固定体と、この固定体に対し回転可能に配置されると共に、上記固定カムとの対向する側面外周に可動カムが設けられた可動体と、これらを収納した略円筒状のケースと、上記可動体と上記ケースの間に装着され上記可動カムを上記固定カムへ弾接させるばねからなり、上記可動体中央に上記可動カムの方向へ突出する窪部を設け、上記窪部と上記ケース内側面の間に上記ばねを装着すると共に、上記ばねと上記窪部との当接面の軸線方向の位置を上記可動体の上記可動カムが設けられた側面より上記可動カムの方向へ突出させた開閉装置。
【発明の詳細な説明】
【技術分野】
【０００１】
本発明は、携帯電話やパーソナルコンピュータ等の、各種電子機器に使用される開閉装置に関するものである。
【背景技術】
【０００２】
近年、携帯電話やパーソナルコンピュータ等の電子機器の小型化や軽量化が進むなか、固定筐体に対し可動筐体が開閉可能に装着された、所謂、折畳み式のものが増えており、これらに用いられる開閉装置においても、開閉操作が確実で小型化の図れるものが求められている。
【０００３】
このような従来の開閉装置について、図３〜図５を用いて説明する。
【０００４】
なお、これらの図面の内、断面図は固定カムと可動カムの関係を判り易くするため、径方向を拡大して表わしている。
【０００５】
図４は従来の開閉装置の断面図、図５は同分解斜視図であり、同図において、１は左側面に固定部１Ａが形成された略円筒状で金属製の固定体で、この右側面外周には、突出部２Ａ、及びこの突出部２Ａから上下へ延出する二つの傾斜部２Ｂ、２Ｃから形成された、一対の固定カム２が設けられている。
【０００６】
そして、３は同じく略円筒状で金属製の可動体で、固定体１に対し開閉方向へ回転可能に、かつ軸線方向へ移動可能に配置されると共に、固定カム２との対向面である左側面外周には一対の可動カム４が設けられている。
【０００７】
また、５は略円筒状で金属製のケース、６はコイル状のばねで、このケース５内に固定体１や可動体３が収納されると共に、可動体３右側面の係止部３Ａとケース５内側面の間には、ばね６がやや撓んだ状態で装着され、このばね６によって可動体３が左方向へ付勢され、可動カム４の先端が固定カム２の傾斜部２Ｂへ弾接している。
【０００８】
さらに、７は略円柱状の固定軸で、この固定軸７の左端部に固定体１が固着されて、固定部１Ａがケース５左側面から回転可能に突出すると共に、固定軸７の右端部は可動体３の中空部やばね６を挿通し、止め輪８によってケース５外側面に回転可能に装着されて、開閉装置１０が構成されている。
【０００９】
そして、このように構成された開閉装置１０は、例えば、図３の携帯電話の斜視図に示すように、固定体１の固定部１Ａが上面に複数のキーからなる操作部２２Ａやマイクロフォン等の音声入力部２２Ｂが形成された固定筐体２２へ、ケース５が表面にＬＣＤ等の表示部２３Ａやスピーカ等の音声出力部２３Ｂが形成された可動筐体２３へ各々装着され、開閉装置１０によって固定筐体２２に対して可動筐体２３が開閉可能に軸支されて電子機器が構成される。
【００１０】
以上の構成において、図４に示したように、可動カム４の先端が固定カム２下側の傾斜部２Ｂへ弾接した状態では、可動体３がばね６によって下方向の閉方向へ付勢されているため、ケース５が装着された可動筐体２３は、固定筐体２２に対して閉じた状態で保持されている。
【００１１】
そして、この閉状態から、可動筐体２３を手で開くと、可動筐体２３に装着固定されたケース５が回転し、可動体３がケース５内を軸線方向へ移動しながら回転して、可動カム４先端が固定カム２の突出部２Ａを超えて上側の傾斜部２Ｃへ弾接し、可動体３が開方向へ付勢されるため、この力によって可動筐体２３に開く方向の力が加わり、可動筐体２３が固定筐体２２に対して所定角度に開いた状態となる。
【００１２】
つまり、可動筐体２３に装着されたケース５を回転させることによって、ばね６に付勢された可動体３を軸線方向へ移動させ、可動カム４先端を固定カム２の傾斜部２Ｂまたは２Ｃのいずれかへ弾接させて、固定筐体２２に対する可動筐体２３の開閉操作が行われるように構成されているものであった。
【００１３】
なお、この出願の発明に関連する先行技術文献情報としては、例えば、特許文献１が知られている。
【特許文献１】特開２００４−２４５３４２号公報
【発明の開示】
【発明が解決しようとする課題】
【００１４】
しかしながら、上記従来の開閉装置においては、装置全体の小型化を図ろうとした場合、可動カム４や固定カム２、ばね６等の構成部品の形状を小さくする必要があるが、確実な開閉操作を行うためには、これらはある程度の大きさや荷重が必要であるため、小型化を図ることが困難であるという課題があった。
【００１５】
本発明は、このような従来の課題を解決するものであり、開閉操作が確実で小型化の可能な開閉装置を提供することを目的とする。
【課題を解決するための手段】
【００１６】
上記目的を達成するために本発明は、側面外周に固定カムが設けられた固定体と、この固定体に対し回転可能に配置されると共に、上記固定カムとの対向する側面外周に可動カムが設けられた可動体と、これらを収納した略円筒状のケースと、上記可動体と上記ケースの間に装着され上記可動カムを上記固定カムへ弾接させるばねからなり、上記可動体中央に上記可動カムの方向へ突出する窪部を設け、上記窪部と上記ケース内側面の間に上記ばねを装着すると共に、上記ばねと上記窪部との当接面の軸線方向の位置を上記可動体の上記可動カムが設けられた側面より上記可動カムの方向へ突出させた開閉装置を構成したものであり、可動体中央の可動カム方向へ突出した窪部とケース内側面の間にばねを装着することによって、可動カムや固定カム、ばね等の構成部品の形状や荷重を小さくすることなく、軸線方向の寸法を小さくできるため、開閉操作が確実で小型化の可能な開閉装置を得ることができるという作用を有する。
【発明の効果】
【００１７】
以上のように本発明によれば、開閉操作が確実で小型化の可能な開閉装置を実現することができるという有利な効果が得られる。
【発明を実施するための最良の形態】
【００１８】
以下、本発明の実施の形態について、図１〜図３を用いて説明する。
【００１９】
なお、これらの図面の内、断面図は固定カムと可動カムの関係を判り易くするため、径方向を拡大して表わしている。
【００２０】
また、背景技術の項で説明した構成と同一構成の部分には同一符号を付して、詳細な説明を簡略化する。
【００２１】
（実施の形態）
図１は本発明の一実施の形態による開閉装置の断面図、図２は同分解斜視図であり、同図において、１は左側面に固定部１Ａが形成された略円筒状で鋼や銅合金、焼結合金等の金属製の固定体で、この右側面外周には、突出部２Ａ、及びこの突出部２Ａから上下へ延出する二つの傾斜部２Ｂ、２Ｃから形成された、一対の固定カム２が対称に設けられている。
【００２２】
また、１３は同じく略円筒状で金属製の可動体で、固定体１に対し開閉方向へ回転可能に、かつ軸線方向へ移動可能に配置されると共に、固定カム２との対向面である左側面外周には、一対の可動カム１４が対称に設けられている。
【００２３】
さらに、この外周に可動カム１４が形成された可動体１３の右側面中央には、可動カム１４の方向へ突出する窪部１３Ａが設けられている。
【００２４】
そして、１５は略円筒状で金属製のケースで、６はコイル状で鋼線製のばねで、このケース１５内に固定体１や可動体１３が収納されると共に、可動体１３中央の窪部１３Ａとケース１５内側面の間に、ばね６がやや撓んだ状態で装着され、このばね６によって可動体１３が左方向へ付勢されて、可動カム１４の先端が固定カム２の傾斜部２Ｂへ弾接している。
【００２５】
なお、このように可動カム１４が形成されていない可動体１３右側面中央に、窪部１３Ａを設け、この窪部１３Ａ内にばね６を挿通させることによって、図４の背景技術の項で説明した構成に比べ、係止部３Ａの厚さ分と、窪部１３Ａが可動カム１４の方向へ突出した分だけ、軸線方向の寸法が小さくなるように構成されている。
【００２６】
つまり、可動体１３中央に窪部１３Ａを設けることによって、可動カム１４や固定カム２、ばね６等の構成部品の形状や荷重を小さくすることなく、確実な開閉操作が可能なままで、ケース１５の左右方向の寸法、即ち軸線方向の寸法を小さくし、装置の小型化を図った構成となっている。
【００２７】
そして、１７は略円柱状の固定軸で、この固定軸１７の左端部に固定体１が固着されて、固定部１Ａがケース１５左側面から回転可能に突出すると共に、固定軸１７の右端部は可動体１３の中空部やばね６を挿通し、止め輪８によってケース１５外側面に回転可能に装着されて、開閉装置２０が構成されている。
【００２８】
また、このように構成された開閉装置２０は、例えば、図３の携帯電話の斜視図に示すように、固定体１の固定部１Ａが上面に複数のキーからなる操作部２２Ａやマイクロフォン等の音声入力部２２Ｂが形成された固定筐体２２へ、ケース１５が表面にＬＣＤ等の表示部２３Ａやスピーカ等の音声出力部２３Ｂが形成された可動筐体２３へ各々装着され、開閉装置２０によって固定筐体２２に対して可動筐体２３が開閉可能に軸支されて電子機器が構成される。
【００２９】
以上の構成において、図１に示したように、可動カム１４の先端が固定カム２下側の傾斜部２Ｂへ弾接した状態では、可動体１３がばね６によって下方向の閉方向へ付勢されているため、ケース１５が装着された可動筐体２３は、固定筐体２２に対して閉じた状態で保持されている。
【００３０】
そして、この閉状態から、可動筐体２３を手で開くと、可動筐体２３に装着固定されたケース１５が回転し、可動体１３がケース１５内を軸線方向へ移動しながら回転して、可動カム１４先端が固定カム２の突出部２Ａを超えて上側の傾斜部２Ｃへ弾接し、可動体１３が開方向へ付勢されるため、この力によって可動筐体２３に開く方向の力が加わり、可動筐体２３が固定筐体２２に対して所定角度に開いた状態となる。
【００３１】
つまり、可動筐体２３に装着されたケース１５を回転させることによって、可動体１３を軸線方向へ移動させ、ばね６に付勢された可動カム１４先端を、固定カム２の傾斜部２Ｂまたは２Ｃのいずれかへ弾接させて、固定筐体２２に対する可動筐体２３の開閉操作が行われるように構成されている。
【００３２】
そして、この時、上述したように、開閉装置２０の軸線方向の寸法は小さくなっているが、可動カム１４や固定カム２、ばね６等の構成部品の形状や荷重は、開閉操作に必要な大きさや荷重が確保されているため、可動カム１４の固定カム２への弾接や動作が確実に行われるようになっている。
【００３３】
このように本実施の形態によれば、可動体１３中央に可動カム１４の方向へ突出する窪部１３Ａを設けると共に、この窪部１３Ａとケース１５内側面の間にばね６を装着することによって、可動カム１４や固定カム２、ばね６等の構成部品の形状や荷重を小さくすることなく、装置の軸線方向の寸法を小さくできるため、開閉操作が確実で小型化の可能な開閉装置を得ることができるものである。
【産業上の利用可能性】
【００３４】
本発明による開閉装置は、開閉操作が確実で小型化の可能なものを得ることができ、各種電子機器に使用される開閉装置として有用である。
【図面の簡単な説明】
【００３５】
【図１】本発明の一実施の形態による開閉装置の断面図
【図２】同分解斜視図
【図３】携帯電話の斜視図
【図４】従来の開閉装置の断面図
【図５】同分解斜視図
【符号の説明】
【００３６】
１  固定体
１Ａ  固定部
２  固定カム
２Ａ  突出部
２Ｂ、２Ｃ  傾斜部
６  ばね
８  止め輪
１３  可動体
１３Ａ  窪部
１４  可動カム
１５  ケース
１７  固定軸
２０  開閉装置
２２  固定筐体
２２Ａ  操作部
２２Ｂ  音声入力部
２３  可動筐体
２３Ａ  表示部
２３Ｂ  音声出力部
【図１】
0004457992.tif 000002
【図２】
0004457992.tif 000003
【図３】
0004457992.tif 000004
【図４】
0004457992.tif 000005
【図５】
0004457992.tif 000006